(57)【要約】      （修正有）【課題】マイクロソフトエクセルを利用して、複雑な処理をする必要のある表や図形で、視覚的にわかりやすいように順番をつける必要がある場合に、数値番号が１ずつ増加した円を、複数個自動的に生成することができるシステムを提供する。【解決手段】数値番号の入った図形は、図形の種類、図形の大きさ、中に表示する数値番号の桁揃え、図形の幅の自動調整、開始する数値番号、終了する数値番号の任意の選択、数値番号の前に任意の文字列の付加、図形を作成する位置のセルの任意指定、図形の中に表示する数値番号の色、太さの任意指定、図形の内部の色の変更、図形の周囲の色を変更、図形の周囲の線の太さを変更することが出来、図形の内部の色を１０個ごとに異なる色にし、数値番号の入った図形は、セルに合わせて移動することが出来、数値番号の入った図形の、セルに合わせた大きさの変更が出来るようになっている。【選択図】図１
2019185707.tif 000002
【特許請求の範囲】
【請求項１】
マイクロソフトエクセルを利用して、数値番号の入った図形で、数値番号が１ずつ増加した図形を複数個作成するシステムであって、図形の大きさを小、中、大から１つ選ぶことができ、開始数値番号と終了数値番号を選ぶことができ、数値番号の前に付ける文字を入力することができ、数値番号の桁数を終了数値番号の桁数に合わせて、前の桁を０で埋めるかどうかを指定することができ、数値番号の入った図形の開始位置をセル単位で指定することができ、数値番号の色を選ぶことができ、数値番号のフォントの太さを選択することができ、図形の枠線の色を指定することができ、図形の枠線の太さを指定することができ、図形の内部に色を付けるかどうかを選択することができ、色を付ける場合はその色を指定することができ、図形の内部を１０個ごとに異なる色で色を付けるかどうかを選択することができ、作成した数値番号の入った図形を、セルに合わせて移動やサイズ変更をするかどうかを指定することができる、数値番号が１ずつ増加した図形を複数個作成するシステム。
【発明の詳細な説明】
【技術分野】
【０００１】  本発明は、マイクロソフトエクセルを利用して、数値番号の入った図形を作成するシステムであって、数値番号が１ずつ増加した図形を、複数個自動的に生成するシステムに関するものである。
【背景技術】
【０００２】  従来、マイクロソフトエクセルを利用して、数値番号の入った図形を作成るには、まず図形を作成し、その中に文字列として数値を入力したものを作成する必要があった。【０００３】  しかしながら、この方法で数値番号を１ずつ増加させた図形を複数個作成するためには、必要な個数分の数値番号の入った図形を作成する必要あり、多くの手間と時間がかかるという欠点があった。
【先行技術文献】
【特許文献】
【０００４】
【特許文献１】特開２０１７−２２００２１公報
【発明の概要】
【発明が解決しようとする課題】
【０００５】  本発明は、マイクロソフトエクセルを利用して、数値番号の入った図形を作成するシステムであって、数値番号が１ずつ増加した図形を、複数個自動的に生成するシステムを提供することを目的としている。
【課題を解決するための手段】
【０００６】  上記課題を解決するために本発明では、開始する数値番号と終了する数値番号を指定して、「生成」を実行するだけで、数値番号が１ずつ増加した円を、複数個自動的に生成することができるようになっている。【０００７】  また、数値番号の入った図形は、数値番号の入った円でもよく、数値番号の入った正方形でもよく、数値番号の入った角丸正方形でもよい。【０００８】  また、数値番号の入った図形の大きさは、小さい図形でもよく、中くらいの図形でもよく、大きい図形でもよい。【０００９】  また、図形の大きさは中に表示する数値番号の桁数に応じて、幅を自動的に調整できる。【００１０】  また、開始する数値番号は自由に設定でき、終了する数値番号は開始する数値番号より大であればよい。【００１１】  また、数値番号には数値番号の前に文字列を付加することができる。【００１２】  また、数値番号は終了する数値番号に桁数をそろえるために、桁数数が不足する場合は数値番号の前に必要なだけの０を付加することが出来る。【００１３】  また、数値番号の入った図形を作成する位置をセルで指定することが出来る。【００１４】  また、図形の中に表示する数値番号の色を指定することが出来る。【００１５】  また、数値番号の太さは任意に変更することができる。【００１６】  また、図形の内部の色を変更することが出来る。【００１７】  また、図形の周囲の色を変更することが出来る。【００１８】  また、図形の周囲の線の太さを変更することが出来る。【００１９】  また、図形の内部の色は、１０個ごとに異なる色にすることが出来る。【００２０】  また、数値番号の入った図形は、セルに合わせて移動することが出来る。【００２１】  また、数値番号の入った図形は、セルに合わせて大きさを変更することが出来る。
【発明の効果】
【００２２】  本発明は上記のような構成となっているため、数値番号が１ずつ増加した図形を、複数個自動的に生成することができ、数値番号を囲む図形は円だけでなく、四角や角の丸い四角にすることができ、中に表示する数値番号の長さに応じて囲む図形の幅を自動的に調整することができ、中に表示する数値番号は文字列にすることができ、囲む図形の大きさは任意に変更することができる。【００２３】  また、中に表示する数値番号は開始番号と終了番号を指定でき、数値番号を囲む図形の表示位置を指定することができ、数値番号の桁数を合わせるために、最大数値の桁数に合わせて数値番号の前に０を補足することができる。【００２４】  また、中に表示する数値番号の色は任に選択することができ、数値番号の太さを任意に変更することができる。【００２５】  また、囲む図形の枠の太さは任意に選択することができ、囲む図形の枠の色を任意に選択することができ。【００２６】  また、囲む図形の中を任意のいるで色付けすることができ、囲む図形の内部の色、は開始番号から順に１０個づつ異なる色で色付けすることができる。【００２７】  また、数値番号を囲む図形は、セルに合わせて移動や大きさを変更することができる。
【図面の簡単な説明】
【００２８】
【図１】数値番号の入った図形で、数値番号が１ずつ増加した図形を複数個作成する場合の各項目の指定画面
【図２】図１で各項目を指定した場合に作成される数値番号が１ずつ増加した図形
【発明を実施するための形態】
【００２９】  マイクロソフトエクセルを利用して、数値番号の入った図形で、数値番号が１ずつ増加した図形を複数個作成する場合、まず図形の形状を丸形、正方形、角丸正方形から１つ選ぶ（１）。
【００３０】  次に、図形の大きさを小、中、大から１つ選ぶ（２）。
【００３１】  次に、開始数値番号と終了数値番号を選び（３）、必要であれば数値番号の前に付ける文字を入力する（４）。
【００３２】  次に、数値番号の桁数を終了数値番号の桁数に合わせて、前を０で埋めるかどうかを指定する（５）。
【００３３】  次に、数値番号の入った図形の開始位置をセル単位で指定する（６）。
【００３４】  次に、数値番号の色を選び（７）、数値番号のフォントの大きさを指定する（８）。
【００３５】  次に、図形の枠線の色を指定し（９）、図形の内部に色を付けるかどうかを選択し（１０）、色を付ける場合はその色を指定する（１１）。
【００３６】  次に、図形の枠線の太さを指定する（１２）。
【００３７】  次に、図形の内部を１０個ごとに異なる色で色を付けるかどうかを選択する（１３）。
【００３８】  次に、作成した数値番号の入った図形を、セルに合わせて移動やサイズ変更をするかどうかを指定する（１４）。
【００３９】  このような方法で作成すると、数値番号の入った図形で、数値番号が１ずつ増加した図形を複数個作成することができる（図２）。
【産業上の利用可能性】
【００４０】  本発明は、マイクロソフトエクセルを利用して、数値番号の入った図形を作成するシステムであって、数値番号が１ずつ増加した図形を、複数個自動的に生成することができるので、マイクロソフトエクセルで複雑な処理をする必要のある表や図形で、視覚的にわかりやすいように順番をつける必要がある内容で、順番をつける個数が多数あるような表や図形を作成する必要のある業務内容の産業で有用である。
【符号の説明】
【００４１】（１）  図形の形状の指定
（２）  数値番号の大きさの指定
（３）  開始数値番号と終了数値番号の指定
（４）  数値番号の前に付ける文字を指定
（５）  数値番号の桁数を終了数値番号の桁数に合わせて、前を０で埋めるかどうかの指定
（６）  数値番号の入った図形の開始位置をセル単位で指定
（７）  数値番号の色の指定
（８）  数値番号の大きさの指定
（９）  図形の枠線の色の指定
（１０）  図形の内部に色を付けるかどうかの指定
（１１）  図形の内部に色を付ける場合はその色の指定
（１２）  図形の枠線の太さの指定
（１３）  図形の内部を１０個ごとに異なる色で色を付けるかどうかの指定
（１４）  作成した数値番号の入った図形を、セルに合わせて移動やサイズ変更をするかどうかの指定
【図１】
2019185707.tif 000003
【図２】
2019185707.tif 000004